(57)【特許請求の範囲】
【請求項１】
接地面を構成する縁部と、
前記縁部の一部を切り欠いて形成された排水口として機能する切り欠き部と、
前記縁部に取り囲まれて設けられ、溜まった水が、前記切り欠き部への指向性を持って流れるよう構成される流線型状をなす斜部と、
を有することを特徴とする容器。
【請求項２】
前記斜部は、前記排水口に向かって斜度が漸増する請求項１に記載の容器。
【請求項３】
接地面を構成する縁部と、
前記縁部の一部を切り欠いて形成された排水口と、
前記縁部に取り囲まれて設けられ、前記排水口への指向性を備える斜部と、
前記排水口に連通する取っ手または注ぎ口と、
を有することを特徴とする容器。
【発明の詳細な説明】
【技術分野】
【０００１】
本発明は容器に関する。
【背景技術】
【０００２】
例えば食器を洗った後に水切りと言われる器具に食器を置いたり、食器洗浄機にかけ食器を乾燥させたときに、食器の外側の底等に水が残ってしまう場合がある。
【０００３】
このため、食器の外側の底に溜まった水を排水する容器が知られている。例えば、お椀の高台内の周囲に複数の排水口の穴をあけ、底の内部の水を外部に排水させるために、高台内部の排水口と排水口の間の穴が無い部分に三角形の水誘導板の頂点を内側にむけ複数設置し、高台内部の水を左右に分け排水口に水を誘導させる食器が知られている。
【０００４】
また、高台のついた飲食器において、該高台凹部底面に傾斜をつけてなると共に、この飲食器を伏せて置いた時、該凹部底面の最も低い位置に、該高台頂面から該高台の底面まで達する切欠を設けた飲食器が知られている。
【先行技術文献】
【特許文献】
【０００５】
【特許文献１】特開２０１１−７２４４９号公報
【特許文献２】特開２００６−１４１９３０号公報
【発明の概要】
【発明が解決しようとする課題】
【０００６】
排水口が付いている容器であっても、排水口の方向によっては縁に水が残ってしまうものがある。
また、排水口が付いている容器であっても、容器の流水部分が水平になったときには水の表面張力により水が残ってしまう場合がある。
１つの側面では、本発明は、容器の底に水が残存することを抑制することを目的とする。
【課題を解決するための手段】
【０００７】
上記目的を達成するために、開示の容器が提供される。この容器は、接地面を構成する縁部と、前記縁部の一部を切り欠いて形成された排水口と、前記縁部に取り囲まれて設けられ、前記排水口への指向性を備える斜部と、を有している。
【発明の効果】
【０００８】
１態様では、容器の底に水が残存することを抑制することができる。
【図面の簡単な説明】
【０００９】
【図１】第１の実施の形態の容器を示す図である。
【図２】第１の実施の形態の容器を示す図である。
【図３】裏面の形状を説明する図である。
【図４】実施の形態の容器の排水の手順を説明する図である。
【図５】比較例の容器の排水の手順を説明する図である。
【図６】比較例の容器を示す図である。
【図７】実施の形態の容器を示す図である。
【図８】第１の変形例の容器を説明する図である。
【図９】第２の変形例の容器を説明する図である。
【図１０】第２の実施の形態の容器を示す図である。
【図１１】第２の実施の形態の容器に風を当てたときの気流を説明する図である。
【図１２】取っ手以外にガイドを配置した容器を示す図である。
【図１３】注ぎ口にガイドを配置した容器を示す図である。
【図１４】溝部の配置の他の例を示す図である。
【図１５】実施の形態の排水システムを適用したとっくりおよびおちょこを示す図である。
【図１６】実施の形態の排水システムを適用したタンブラーを示す図である。
【図１７】実施の形態の排水システムを適用した灰皿を示す図である。
【図１８】実施の形態の排水システムを適用した缶を示す図である。
【図１９】実施の形態の排水システムを適用したビンを示す図である。
【図２０】実施の形態の排水システムを適用した蓋付きビンを示す図である。
【発明を実施するための形態】
【００１０】
以下、実施の形態の容器を、図面を参照して詳細に説明する。
＜第１の実施の形態＞
図１および図２は、第１の実施の形態の容器を示す図である。
【００１１】
第１の実施の形態の容器（お椀）１は、高台２を有している。高台２の一部には、高台２の縁部（接地面）２ａの一部を切り欠いて形成された切り欠き部３が設けられている。この切り欠き部３は、高台２内の水（流体）を排水する際の排水口として機能する。
高台２の縁部に取り囲まれた裏面（高台裏）４の形状は、切り欠き部３への指向性を備える流線型状をなしている。
【００１２】
図１では、裏面４の起伏を点線で示している。切り欠き部３に向かう裏面４の形状は、切り欠き部３に向かって斜度が漸増している。これにより、水の表面張力による水の残存を抑制することができる。なお、裏面４の形状は、切り欠き部３への指向性を備える流線型状をなしていれば、これに限定されない。
図３は、裏面の形状を説明する図である。
図３は、実施の形態の容器１に適用できる裏面（容器１ではない裏面）の側部断面図を示している。斜線で示した部分が裏面の形状を示している。
【００１３】
例えば、図３（ａ）に示すように、切り欠き部側の部位１０ａから離れた部位１０ｂの斜度は比較的急で、途中の部位１０ｃの斜度が部位１０ｂの斜度に比べてなだらかになり、切り欠き部１０ｄ近傍の部位１０ｄの斜度が再び急になっていてもよい。
また、図３（ｂ）に示すように、部位１０ｅ〜１０ｇの斜度が、部位１０ａに近づくにつれてなだらかになっていくもの等であってもよい。
再び図１に戻って説明する。
【００１４】
また、切り欠き部３近傍の水が集まる集水部５の断面形状は、なだらかなＵ字状をなしている。これにより、水との接触面積をなるべく少なくする（なるべく平面に近づける）ことで、集水部５への水の残存を抑制することができる。
また、排水口として機能する切り欠き部３の水が流出する部分の幅は、幅が狭すぎて集水部５に水が残存したりすることがないようになっている。
【００１５】
なお、図１、図２における切り欠き部３の形状、および集水部５の断面形状はＵ字状であるが、前述した条件を満たせば切り欠き部の形状は、特に限定されず、例えばＶ字状、角型、富士山型、ハート型等であってもよい。
以下の説明では、切り欠き部３と裏面４とにより示したような排水の仕組みを「排水システム」と言う。
【００１６】
このように、裏面４の形状を流線型にすることで、食器を洗った際に、容器１が立てかけられた場合はもちろん、水平に置かれた場合でも水が流れるようになるため、高台２の裏面４に水が残ることを抑制することができる。
【００１７】
また、裏面４の形状を流線型にすることで、気流を面に沿って受けやすくなり、速く乾かせることができる。このため、食器乾燥機を用いて容器１を乾かす場合にも比較的乾き易い。従って、乾燥機の乾燥時間が短くて済み、電気代を節約することができる。
図４は、実施の形態の容器の排水の手順を説明する図である。なお、図４では、容器１の容器本体の図示を省略している。
図４（ａ）に示すように、容器１においては水ｗ１が円を描くように排水される。このため、表面張力により水滴が分裂しにくい。
【００１８】
また、図４（ｂ）に示すように、仮に水滴が分裂した場合においても切り欠き部３に向かって斜度が漸増する形状をなしているため、水滴ｗ２が結合し易く排水されやすい。
図５は、比較例の容器の排水の手順を説明する図である。比較例においても容器の高台部分を図示し、容器本体の図示を省略している。
【００１９】
図５に示す容器９０は、裏面９４の形状が、容器１とは異なっている。比較例の容器９０は、高台の頂面から底面まで達する切り欠き部９３が形成されている。比較例の食器の高台９２の裏面９４の形状は、切り欠き部９３に向かう斜面の傾斜が同方向、かつ、角度が一定となっている（特開２００６−１４１９３０号参照）。
【００２０】
図５では、水の流れる向きを矢印で示している。図５（ａ）に示すように、比較例の容器９０は、切り欠き部９３から離れた水の上部ｗ３は水が比較的速く捌けるが、切り欠き部９３に近い下部ｗ４は水捌けが遅い。さらに、水捌けが速い上部ｗ３は、水面が水平となるので水の表面張力により水が水面の表面積をできるだけ小さくしようとするときに水面が分裂し、水の塊が出来易い。この水の塊は、水滴が残存する原因となる。
【００２１】
また、図５（ｂ）に示すように、比較例の容器の裏面９４は、排水口に向かう傾斜が同方向、かつ、一定角度となっている。このため、一度分離した水滴ｗ５の再結合が容器１に比べ起こりにくく、これも、水滴ｗ５が残存する原因となる。
次に、容器１、容器９０それぞれに送風したときの様子を説明する。
図６は、比較例の容器を示す図である。
【００２２】
図６（ａ）は、比較例の容器の高台を示す図であり、図６（ｂ）は、図６（ａ）のＡ−Ａ線での高台の断面図である。図６（ｂ）では、気流を矢印にて示している。
比較例の容器９０では、高台と裏面９４の設置角度が急なことにより水が残りやすく、さらに、裏面９４に気流が当たりにくい箇所（死角）９５、９６が存在する。その死角９５、９６に水ｗ６が残存する原因となる。
図７は、実施の形態の容器を示す図である。
【００２３】
図７（ａ）は、実施の形態の容器の高台を示す図であり、図７（ｂ）は、図７（ａ）のＢ−Ｂ線での高台の断面図である。図７（ｂ）では、気流を矢印にて示している。
【００２４】
図７（ｂ）に示すように、本実施の形態の容器１は気流が遮られる箇所が存在しないので、気流が裏面４に沿って流れる。これにより、仮に裏面４に水ｗ７が残存してしまった場合にも乾燥しやすくなる。
【００２５】
以上述べたように、容器１によれば、水を裏面４に留まらせずに切り欠き部３から排水することができる。また、切り欠き部３の形状は孔ではなく開口であるため、切り欠き部３に食べ屑等が詰まる可能性は低い。
また、容器１を洗浄する際には、死角が存在しないので、裏面４に水が残りにくい。
次に、実施の形態の排水システムを用いた容器の変形例を説明する。
＜第１の変形例＞
図８は第１の変形例の容器を説明する図である。
【００２６】
図８に示す容器１ａは、高台が設けられていない。容器１ａの縁部（接地面）に取り囲まれた裏面４ａの一部には、切り欠き部３ａが設けられている。この切り欠き部３ａは、裏面４ａの水（流体）を排水する際の排水口として機能する。
この裏面４ａの形状は、切り欠き部３ａへの指向性を備える流線型状をなしている。
変形例の容器１ａによれば、高台等がない容器においても水を裏面４ａに留まらせずに切り欠き部３ａから排水することができる。
＜第２の変形例＞
図９は第２の変形例の容器を説明する図である。
図９に示す容器１ｂは、ワイングラスである。容器１ｂは、ボウル１ｂ１と、ステム１ｂ２と、ベース１ｂ３とを備えている。
【００２７】
そして、ベース１ｂ３の縁部（接地面）に取り囲まれた裏面４ｂの一部には、切り欠き部３ｂが設けられている。ワイングラスのように高台が設けられていない容器１ｂについては、ベースの縁を湾曲させることにより、切り欠き部３ｂを形成する。
【００２８】
この切り欠き部３ｂは、裏面４ｂの水（流体）を排水する際の排水口として機能する。裏面４ｂの形状は、切り欠き部３ｂへの指向性を備える流線型状をなしている。
【００２９】
このように、接地面が容器本体と離間しているような容器１ｂの場合は、接地面を形成する部位（図７ではベース１ｂ３）の裏面に排水システムを形成する。これにより、容器の主たる部分と裏面とが分離しているような容器においても水を裏面４ｂに留まらせずに切り欠き部３ｂから排水することができる。
＜第２の実施の形態＞
次に、第２の実施の形態の容器について説明する。
以下、第２の実施の形態の容器について、前述した第１の実施の形態との相違点を中心に説明し、同様の事項については、その説明を省略する。
図１０は、第２の実施の形態の容器を示す図である。
図１０に示す容器１ｃはマグカップである。容器１ｃの裏面４ｃの形状は、裏面４と同様の特徴を備えている。
【００３０】
容器１ｃは、切り欠き部３ｃの下部（図１０中）に取っ手６が設けられている。取っ手６は、切り欠き部３ｃから流出した水を容器１ｃの外部に導くガイドとして機能する。具体的には、この取っ手６の外側の形状は、断面がＵ字状の溝部７をなしている。溝部７は、切り欠き部３ｃに連通しており、切り欠き部３ｃから流出した水は、この溝部７を通って容器１ｃの外部に排水される。ここで、連通するとは、切り欠き部３ｃから流出した水が容器１ｃの側面等に流れないという意味を含み、切り欠き部３ｃと溝部７とは、必ずしも接触していなくてもよい。
【００３１】
切り欠き部３ｃの下部に溝部７を備える取っ手６を設けることで、切り欠き部３ｃから流出した水が容器１ｃの側部に留まらずに容器１ｃから離間する可能性を高めることができる。
また、食器乾燥機等を用いて容器１ｃを乾燥させる場合を考える。
図１１は、第２の実施の形態の容器に風を当てたときの気流を説明する図である。図１１では、気流を矢印で示している。
図１１（ｂ）は、容器１ｃのＣ−Ｃ線での断面図である。
【００３２】
図１１中、紙面右側から風が吹いたときには、取っ手６を伝わった風が切り欠き部３ｃから流入し、裏面４ｃに導かれる。これにより、裏面４ｃが、より乾きやすくなるという利点がある。
なお、本実施の形態では、取っ手６にガイドを配置したが、取っ手以外にガイドを配置してもよい。
図１２は、取っ手以外にガイドを配置した容器を示す図である。
図１２（ａ）に示す容器１ｄの裏面４ｄの形状は、裏面４と同様の特徴を備えている。
容器１ｄは、容器の取っ手６ａ以外の側部８に、切り欠き部３ｄから流出した水を容器１ｄの外部に導くガイドとして機能する溝部７ａが設けられている。
図１２（ｂ）は、容器１ｄの断面の一部を示す図である。溝部７ａは、断面がハートの上半分を切り取ったような型をなしている。
なお、溝部７ａの断面形状は特に限定されず、例えばＵ字状、Ｖ字状、角型、富士山型等であってもよい。
このような容器１ｄであっても、切り欠き部３ｄから流出した水が容器１ｄの側部８に留まらずに容器１ｄから離間する可能性を高めることができる。
【００３３】
但し、取っ手以外にガイドを配置したカップの側面に絵柄をプリントする場合には、ガイドが邪魔になる場合が考えられるが、図１０に示した容器１ｃによれば、取っ手６にガイドを配置することで、カップ１ｃの側面に絵柄をプリントする場合もガイドが邪魔にならないという利点がある。
図１３は、注ぎ口にガイドを配置した容器を示す図である。
図１３に示す容器１ｅは急須である。容器１ｅの裏面４ｅの形状は、裏面４と同様の特徴を備えている。
【００３４】
容器１ｅは、切り欠き部３ｅの下部に、注ぎ口９が設けられている。この注ぎ口９には、切断面がＵ字状の溝部７ｂが設けられている。この溝部７ｂは、切り欠き部３ｅから流出した水を容器１ｅの外部に導くガイドとして機能する。
【００３５】
切り欠き部３ｅの下部に、溝部７ｂを備える注ぎ口９を設けることで、切り欠き部３ｅから流出した水が容器１ｅの側部に留まらずに容器１ｅから離間する可能性を高めることができる。
なお、図１３に示す溝部７ｂは、注ぎ口９の肩（付け根）から嘴（先端）に沿って配置した。しかし、溝部の配置位置は、図１３に示す位置に限定されない。
図１４は、溝部の配置の他の例を示す図である。図１４において、図１３と同様の部分には同様の符号を付し、詳細の説明を省略する。
【００３６】
図１４に示す容器１ｆの溝部７ｃは、注ぎ口９の肩から注ぎ口の側面に向かって配置されている。溝部７ｃをこのように配置することにより、溝部の長さを短くすることができるため、溝部７ｃに水が滞留してしまうことを抑制することができる。
【００３７】
なお、前述した各実施の形態の排水システムを適用できる容器としては、特に限定されない。また、容器の素材としては、例えば土や木やステンレス綱や樹脂やガラス等が挙げられる。
【００３８】
例えば、前述した例以外に、コーヒーカップ、グラス、四角皿、おちょこ、とっくり、多角形皿、タンブラー、醤油皿、湯飲み茶碗、急須、ポット、ラーメン皿、どんぶり、そばちょこ、ビールジョッキ、ピッチャー、ほ乳瓶、鍋の食器が挙げられる。
図１５は、実施の形態の排水システムを適用したとっくりおよびおちょこを示す図である。
図１６は、実施の形態の排水システムを適用したタンブラーを示す図である。
【００３９】
また、食器に限らず、例えば、ビン、カン、タッパー、砂糖容器、醤油差等の容器や、灰皿等にも前述した各実施の形態の排水システムを適用することができる。
図１７は、実施の形態の排水システムを適用した灰皿を示す図である。
図１８は、実施の形態の排水システムを適用した缶を示す図である。
図１９は、実施の形態の排水システムを適用したビンを示す図である。
図２０は、実施の形態の排水システムを適用した蓋付きビンを示す図である。
また、容器の裏面の形状を用いて球を転がすような玩具も考えられる。
【００４０】
また、例えば、実施の形態の排水システムを適用した複数のシャンパングラスを用いて任意の水流を作成したシャンパンタワーを演出する等、実施の形態の排水システムを、任意の目的で使用することができる。
【００４１】
以上、本発明の容器を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００４２】
１、１ａ、１ｂ、１ｃ、１ｄ、１ｅ、１ｆ  容器
２  高台
３、３ａ、３ｂ、３ｃ、３ｄ、３ｅ  切り欠き部
４、４ａ、４ｂ、４ｃ、４ｄ、４ｅ  裏面
５  集水部
６、６ａ  取っ手
７、７ａ、７ｂ、７ｃ  溝部
８  側部
９  注ぎ口
【要約】
【課題】容器の底に水が残存することを抑制すること。
【解決手段】容器１は、接地面を構成する高台２の縁部と、縁部の一部を切り欠いて形成された切り欠き部３と、縁部に取り囲まれて設けられ、切り欠き部３への指向性を備える裏面４と、を有している。
【選択図】図１【図１】
0005875094.tif 000002
【図２】
0005875094.tif 000003
【図３】
0005875094.tif 000004
【図４】
0005875094.tif 000005
【図５】
0005875094.tif 000006
【図６】
0005875094.tif 000007
【図７】
0005875094.tif 000008
【図８】
0005875094.tif 000009
【図９】
0005875094.tif 000010
【図１０】
0005875094.tif 000011
【図１１】
0005875094.tif 000012
【図１２】
0005875094.tif 000013
【図１３】
0005875094.tif 000014
【図１４】
0005875094.tif 000015
【図１５】
0005875094.tif 000016
【図１６】
0005875094.tif 000017
【図１７】
0005875094.tif 000018
【図１８】
0005875094.tif 000019
【図１９】
0005875094.tif 000020
【図２０】
0005875094.tif 000021